(57)【要約】【課題】輸送時の製品へのダメージを回避し、且つダメージ防止用部品削減による原価低減が図れる洗濯機の梱包装置を実現する。【解決手段】梱包金具１１を挟持し水受槽２を下方から支持する下部梱包部材１０と、流体バランサ３の開口部３ａと衣類投入口８ａとに嵌合し水受槽２を上方から支持する上部梱包部材９とを備え、下部梱包部材１０と上部梱包部材９とは、水受槽２の前後方向の中心が、１筐体の前後方向の中心より所定寸法Ａだけ後方に位置するようにしたことにより、輸送時の製品へのダメージを回避し、且つダメージ防止用部品削減による原価低減が図れる洗濯機の梱包装置を実現することができる。【選択図】図１
2014213890.tif 000002
【特許請求の範囲】
【請求項１】
洗濯機上部に位置し衣類を投入する衣類投入口を有する上部枠体と、前記上部枠体の下方で衣類を収容し上部に略環状の開口部を有する流体バランサを設けた脱水槽と、前記脱水槽を回転自在に内包する水受槽と、前記水受槽を内包する筐体と、前記水受槽の外底部に突設し前記脱水槽等を回転駆動する駆動機構部を覆うように設けた梱包金具と、を備えた洗濯機の梱包装置であって、
前記梱包金具を挟持し前記水受槽を下方から支持する下部梱包部材と、前記流体バランサの前記開口部と前記衣類投入口とに嵌合し前記水受槽を上方から支持する上部梱包部材とを備え、前記下部梱包部材と前記上部梱包部材とは、前記水受槽の前後方向の中心が、前記筐体の前後方向の中心より所定寸法後方に位置するようにした洗濯機の梱包装置。
【請求項２】
前記下部梱包部材は、前記梱包金具を挟持する凹状の補強部材を設け、前記凹状の補強部材は、前記水受槽の下方部を所定寸法後方に位置する位置に設けられ、その上部には、前記梱包金具の底部を後方に誘導するための傾斜部を有するガイド部材を設けた請求項１に記載の洗濯機の梱包装置。
【請求項３】
前記洗濯機の前記流体バランサには柔軟仕上剤を保持する柔軟仕上剤保持部を有し、前記柔軟仕上剤保持部は、前記流体バランサの前記開口部の内径より内側に突出するように設けられ、前記上部梱包部材には、前記柔軟仕上剤保持部が後方に位置するときに、前記柔軟仕上剤保持部を後方に押すことで、前記水受槽の上方部を所定寸法後方に位置するようにした凸部を設けた請求項１または２に記載の洗濯機の梱包装置。
【発明の詳細な説明】
【技術分野】
【０００１】
本発明は全自動洗濯機の輸送によるダメージを回避し、且つダメージ防止用部品の削減を可能とした梱包装置に関するものである。
【背景技術】
【０００２】
従来、全自動洗濯機の水受槽を保持する梱包部材（ダイザ・カゴサポーター）において、梱包時に水受槽が筐体の中心となるよう形成した梱包部材を使用するのが一般的なものである（例えば、特許文献１および２参照）。
【０００３】
図３（ａ）は、従来の洗濯機の梱包状態の要部横断面図、図３（ｂ）は、同洗濯機の梱包状態の要部縦断面図である。以下その構成について説明する。梱包時の水受槽位置規制は下部のダイザと上部のカゴサポーターで構成されている。
【０００４】
図３（ａ）、（ｂ）において、洗濯機の筐体１０１の内部に複数のサスペンション（図示せず）で支持された水受槽１０２と、水受槽１０２に回転自在に支持され上部に略環状の流体バランサ１０３を有する脱水槽１０４と、脱水槽１０４の底部に回転軸を垂直方向としたパルセータ１０５を取り付けた洗濯・脱水軸１０６と、洗濯・脱水軸１０６と連動し、水受槽１０２に固定され脱水槽１０４およびパルセータ１０５を回転駆動する駆動機構部１０７と、洗濯機の筐体１０１の上部に位置し、衣類投入口１０８ａを有する上部枠体１０８と、を備えた洗濯機の梱包時において、水受槽１０２の中心Ｙが筐体１０１の中心Ｘとなるように支持する上部梱包部材１０９と、下部梱包部材１１０が設けられている。
【０００５】
このとき、上部梱包部材１０９は、上部枠体１０８の衣類投入口１０８ａの内面と流体バランサ１０３の開口部１０３ａの左右内面に嵌合している。また、水受槽１０２の底部には、駆動機構部１０７覆うように取り付けた梱包金具１１１を設け、下部梱包部材１１０には、梱包金具１１１と嵌合する補強部材１１２を設けることで、梱包金具１１１は下部梱包部材１１０に挿入され固定される。
【０００６】
上記構成において、梱包時の水受槽１０２の中心位置Ｙは、筐体１０１の中心位置Ｘに配置されている。
【０００７】
その後、外装箱１１３を上方からかぶせることで、洗濯機全体を覆い梱包することとなる。最後に、外装箱１１３と下部梱包部１１０とを帯状の合成樹脂製の結束バンド（図示せず）で結束する。
【先行技術文献】
【特許文献】
【０００８】
【特許文献１】特開平７−４１０７５号公報
【特許文献２】特開平４−２３９４７１号公報
【発明の概要】
【発明が解決しようとする課題】
【０００９】
しかしながら、このような従来の構成では、ボデーの材厚が薄い場合、輸送による製品外観部である筐体１０１の特に前面にダメージが発生していた。
【００１０】
図４および図５は、従来の洗濯機の梱包状態の要部矢視図である。図４に示すように、
筐体１０１の外面上部に保護部材１１３を取り付けたり、図５に示すように、筐体１０１の内面に緩衝材１１４を取り付けたりしていた。これにより、輸送による製品へのダメージの回避が図られており、ダメージ防止用部品追加による原価アップを招いていた。
【００１１】
本発明は、上記従来の課題を解決するもので、輸送時の製品へのダメージ回避し、且つ図４、５に示すダメージ防止用部品削減による原価低減を図ることを目的としている。
【課題を解決するための手段】
【００１２】
本発明は上記目的を達成するために、本発明の洗濯機の梱包装置は、洗濯機上部に位置し衣類を投入する衣類投入口を有する上部枠体と、前記上部枠体の下方で衣類を収容し上部に略環状の開口部を有する流体バランサを設けた脱水槽と、前記脱水槽を回転自在に内包する水受槽と、前記水受槽を内包する筐体と、前記水受槽の外底部に突設し前記脱水槽等を回転駆動する駆動機構部を覆うように設けた梱包金具と、を備えた洗濯機の梱包装置であって、前記梱包金具を挟持し前記水受槽を下方から支持する下部梱包部材と、前記流体バランサの前記開口部と前記衣類投入口とに嵌合し前記水受槽を上方から支持する上部梱包部材とを備え、前記下部梱包部材と前記上部梱包部材とは、前記水受槽の前後方向の中心が、前記筐体の前後方向の中心より所定寸法後方に位置するようにしたものである。
【００１３】
これによって、輸送時の製品へのダメージ回避とダメージ防止用部品削減による原価低減を図ることができる。
【発明の効果】
【００１４】
本発明の洗濯機の梱包装置は、梱包時の水受槽が筐体の背面側に位置するようにしたことにより、輸送時の製品へのダメージ回避とダメージ防止用部品削減による原価低減を図ることができるとともに、梱包時の作業性を向上することができる。
【図面の簡単な説明】
【００１５】
【図１】（ａ）本発明の第１の実施の形態における洗濯機の梱包状態の要部横断面図（ｂ）同洗濯機の梱包状態の要部縦断面図
【図２】同洗濯機の梱包装置の要部矢視図
【図３】（ａ）従来の洗濯機の梱包状態の要部横断面図（ｂ）同洗濯機の梱包状態の要部縦断面図
【図４】同洗濯機の梱包状態の要部矢視図
【図５】同洗濯機の梱包状態の要部矢視図
【発明を実施するための形態】
【００１６】
第１の発明は、洗濯機上部に位置し衣類を投入する衣類投入口を有する上部枠体と、前記上部枠体の下方で衣類を収容し上部に略環状の開口部を有する流体バランサを設けた脱水槽と、前記脱水槽を回転自在に内包する水受槽と、前記水受槽を内包する筐体と、前記水受槽の外底部に突設し前記脱水槽等を回転駆動する駆動機構部を覆うように設けた梱包金具と、を備えた洗濯機の梱包装置であって、前記梱包金具を挟持し前記水受槽を下方から支持する下部梱包部材と、前記流体バランサの前記開口部と前記衣類投入口とに嵌合し前記水受槽を上方から支持する上部梱包部材とを備え、前記下部梱包部材と前記上部梱包部材とは、前記水受槽の前後方向の中心が、前記筐体の前後方向の中心より所定寸法後方に位置するようにした洗濯機の梱包装置とすることにより、筐体と水受槽の前面部の隙間を確保することができるので、輸送による製品へのダメージを回避し、ダメージ防止用部品削減による原価低減を図ることができる。
【００１７】
第２の発明は、特に、第１の発明の洗濯機の梱包装置は、前記下部梱包部材は、前記梱包金具を挟持する凹状の補強部材を設け、前記凹状の補強部材は、前記水受槽の下方部を
所定寸法後方に位置する位置に設けられ、その上部には、前記梱包金具の底部を後方に誘導するための傾斜部を有するガイド部材を設けたことにより、梱包時に水受槽が筐体の後方側に位置する下部梱包部材への梱包金具の挿入時に、梱包金具をガイド部材に摺接させることで、水受槽が筐体の背面側に位置した状態になるように無理なく梱包金具を下部梱包部材に挿入することが可能となり、梱包時の作業性を向上することができる。
【００１８】
第３の発明は、特に、第１または第２の発明の洗濯機の梱包装置は、前記洗濯機の前記流体バランサには柔軟仕上剤を保持する柔軟仕上剤保持部を有し、前記柔軟仕上剤保持部は、前記流体バランサの前記開口部の内径より内側に突出するように設けられ、前記上部梱包部材には、前記柔軟仕上剤保持部が後方に位置するときに、前記柔軟仕上剤保持部を後方に押すことで、前記水受槽の上方部を所定寸法後方に位置するようにしたことにより、水受槽の上方部を確実に後方の所定の位置に移動することができるので、梱包の作業性を向上させるとこができると共に、輸送による製品へのダメージを回避し、ダメージ防止用部品削減による原価低減を図ることができる。
【００１９】
以下、本発明の実施の形態について、図面を参照しながら説明する。なお、従来例と同じ構成のものは同一符号を付して説明を省略する。また、この実施の形態によって本発明が限定されるものではない。
【００２０】
（実施の形態１）
図１（ａ）は、本発明の第１の実施の形態における洗濯機の梱包状態の要部横断面図、図１（ｂ）は、同洗濯機の梱包状態の要部縦断面図、図２は、同洗濯機の梱包装置の要部矢視図である。
【００２１】
図１（ａ）、（ｂ）において、洗濯機の筐体１の内部に複数のサスペンション（図示せず）で支持された水受槽２と、水受槽２に回転自在に支持され上部に略環状の流体バランサ３を有する脱水槽４と、脱水槽４の底部に回転軸を垂直方向としたパルセータ５を取り付けた洗濯・脱水軸６と、洗濯・脱水軸６と連動し、水受槽２に固定され脱水槽４およびパルセータ５を回転駆動する駆動機構部７と、洗濯機の筐体１の上部に位置し、衣類投入口８ａを有する上部枠体８とを備えた洗濯機の梱包時において、水受槽２の前後方向中心Ｙが筐体１の前後方向中心Ｘより所定寸法Ａ(例えば、２０ｍｍ)後方に位置するように支持する上部梱包部材９および下部梱包部材１０が設けられている。
【００２２】
また、水受槽２の底部には、水受槽２の略中心部に駆動機構部７覆うように取り付けた梱包金具１１を設けている。下部梱包部材１０には、梱包金具１１と嵌合する凹状の補強部材１２を設けることで、梱包金具１１は下部梱包部材１０に挿入され固定される。下部梱包部材１０内の凹状の補強部材１２は、前後方向中心Ｙが筐体１の前後方向中心Ｘより所定寸法Ａ後方に位置するように設けられている。
【００２３】
洗濯機の梱包時において、洗濯機を下部梱包部材１０および凹状の補強部材１２にセットする際、梱包金具１１と凹状の補強部材１２の中心Ｘが所定寸法Ａだけずれているため、梱包金具１１が凹状の補強部材１２の中心位置Ｙに挿入しづらくなる。そこで、凹状の補強部材１２には、傾斜部１２ｂを有するガイド部材１２ａを設けている。この傾斜部１２ｂを有するガイド部材１２ａは、梱包時において、梱包金具１１が凹状の補強部材１２に到達する前に、梱包金具１１の底部をガイド部材１２ａの傾斜部１２ｂに当て、凹状の補強部材１２の中心位置Ｙに挿入できるよう誘導する。これにより水受槽２を筐体１の背面側に所定寸法Ａ移動させた状態でも、作業効率を悪化させることのない梱包作業が可能となる。
【００２４】
また、上部梱包部材９は、上部枠体８の衣類投入口８ａの内面と流体バランサ３の開口
部３ａの左右内面に圧入し嵌合し、水受槽２の左右の動きを規制している。
【００２５】
さらに、流体バランサ３には、柔軟仕上剤を保持する柔軟仕上剤保持部３ｂが設けられており、柔軟仕上剤保持部３ｂは、流体バランサ３の開口部３ａの内径より内側に突出するように設けられており、その部分の内径が小さくなっている。また、上部梱包部材９には、後方に突出する後方突出部９ａを設けている。梱包時において、上部梱包部材９を上部枠体８の衣類投入口８ａの内面と流体バランサ３の開口部３ａの左右内面に圧入し嵌合する際において、流体バランサ３の柔軟仕上剤保持部３ｂを後方に配置させ、上部梱包部材９の後方突出部９ａにより、柔軟仕上剤保持部３ｂを所定寸法Ａだけ後方に押すことにより、水受槽２の上部を下部梱包部材１０および凹状の補強部材１２により後方に移動した水受槽２の下部と略同じ位置にすることができ、水受槽に中心軸を略鉛直方向に矯正することができる。
【００２６】
その後、外装箱１３を上方からかぶせることで、洗濯機全体を覆い梱包することとなる。最後に、外装箱１３と下部梱包部材１０とを帯状の合成樹脂製の結束バンド（図示せず）で結束する。
【００２７】
これにより、筐体１前面と水受槽２の前面側との隙間を広げることができるため、輸送時の前面落下及び、右側面・左側面落下時のダメージ回避し、且つダメージ防止用部品削減による原価低減を図ることができる。
【００２８】
なお、上記実施の形態１では、内径が小さくなる柔軟仕上剤保持部３ｂを後方に配置させるようにしたが、この柔軟仕上剤保持部３ｂを流体バランサ３に設けない場合においては、上部梱包部材９の後方突出部９ａの寸法を長くすることで、流体バランサ３の内面を押し、水受槽２の上部を後方に所定寸法Ａだけ後方に位置するようにしても、同等の効果を得ることができる。
【産業上の利用可能性】
【００２９】
以上のように、本発明にかかる洗濯機の梱包装置は、輸送による製品へのダメージを回避し、且つダメージ防止用部品削減による原価低減が図れるので、十分な輸送性能を有した洗濯機の梱包装置等として有用である。
【符号の説明】
【００３０】
１  筐体
２  水受槽
３  流体バランサ
３ａ  開口部
３ｂ  柔軟仕上剤保持部
４  脱水槽
５  パルセータ
６  洗濯・脱水軸
７  駆動機構部
８  上部枠体
８ａ  衣類投入口
９  上部梱包部材
９ａ  後方突出部
１０  下部梱包部材
１１  梱包金具
１２  凹状の補強部材
１２ａ  ガイド部材
１２ｂ  傾斜部
１３  外装箱
【図１】
2014213890.tif 000003
【図２】
2014213890.tif 000004
【図３】
2014213890.tif 000005
【図４】
2014213890.tif 000006
【図５】
2014213890.tif 000007